(57)【要約】【課題】体感温度に関する数値を利用者が直接に感じる温度としてシステム的に収集し、体感温度の情報の予測に反映させ、気象情報の精度を向上し、利用者の実感に一致させる気象情報の体感情報通知システムを提供する。【解決手段】この気象情報の体感情報通知システムは、気象に係わる機関または施設から配信される予報資料および実況値に基づいて気温、湿度、風の気象情報を予測する気象情報予測処理部１１と、利用者１６ごとの体感温度を調査収集するリサーチ部２２と、利用者の体感度合いを補正する体感温度補正部３１と、利用者が目的とする情報を作成し、通知する情報通知部３２とから構成される。【選択図】　　　図１
2004053520.tif 000002
【特許請求の範囲】
【請求項１】
気象に係わる機関または施設から配信される予報資料および実況値に基づいて気温、湿度、風の情報を予測する気象情報予測処理手段と、
体感情報を収集するリサーチ手段と、
前記体感情報に係る体感度を補正する体感温度補正手段と、
利用者が目的とする情報を作成して通知する情報通知手段と、
から成ることを特徴とする気象情報の体感情報通知システム。
【請求項２】
前記リサーチ手段は、前記体感情報を継続的に収集して保存すると共に、統計的処理を行って利用者別体感度情報と地域別体感度情報を作成し保存することを特徴とする請求項１記載の気象情報の体感情報通知システム。
【請求項３】
商品別体感傾向解析と需要・購買予測を行う企業情報管理手段を備え、前記企業情報管理手段は、前記利用者が企業である場合に、商品に係る需要予測と購買予測の情報を提供することを特徴とする請求項１または２記載の気象情報の体感情報通知システム。
【請求項４】
前記の商品に係る需要予測と購買予測の情報は、前記企業における生産管理、購買管理、在庫管理、販売管理、マーチャンダイジング、サプライチェーンマネジメント、販売促進、商品開発、流通物流管理において用いられることを特徴とする請求項３記載の気象情報の体感情報通知システム。
【請求項５】
前記気象情報予測処理手段は、前記予報資料および前記実況値に基づいて気象に係わる要素を予測する気象予測手段と、前記気象に係わる要素を地形特性と地域特性により補正して気温、湿度、風の前記情報を作成する補正手段とを含むことを特徴とする請求項１〜４のいずれか１項に記載の気象情報の体感情報通知システム。
【発明の詳細な説明】
【０００１】
【発明の属する技術分野】
本発明は気象情報の体感情報通知システムに関し、特に、気象予測に基づき得られた気象情報を体感度合い観点で修正して多種分野に体感温度に関する情報を提供する気象情報の体感情報通知システムに関する。
【０００２】
【従来の技術】
従来の最も一般的な気象予報（天気予報）は気象庁が発表する気象予報である。この天気予報は、１日に３回（朝、昼、夕）、テレビやラジオの放送手段等を利用して発表されている。他方、民間の各気象会社から発表される気象予報もある。各気象会社は、気象庁から提供される予報資料と、気象庁または気象に係わる各種の気象情報配信施設（気象観測所等）から配信される実況値とに基づいて気象予報を行っている。各気象会社は、それぞれ予め定められた予報手法に基づいて、各観測地点における気象予報、あるいは所望の観測地点および周辺の気象予報を行う。各気象会社による気象予報は、テレビジョンによる放送、電話回線による音声での提供、ファクシミリ送信による提供、あるいはインターネットによる提供によってユーザに与えられる。
【０００３】
従来の気象予報の情報提供において体感温度の情報も含まれている。体感温度の情報は寒暖に関する天気予報の一部として利用されている場合が一般的である。従来での「体感温度」とは、一般的に気温のほかに、湿度や日照、風からの影響等を考慮した直接に身体に感じる温度のことを意味する。従来の体感温度を予測する方法は、気象要素の組み合わせによる固定化された数値に基づいて身体に感じる温度を予測する方法である。
【０００４】
【発明が解決しようとする課題】
体感温度は、実際には直接に身体で感じる温度であり、個人による差異が生じる。従来の気象予報での体感温度の情報は、所定の計算式に基づいて行われる固定化された数値予測であり、代表的あるいは一般的な指標としての情報にすぎない。従って従来の気象予報で体感温度の情報は、利用者にとって実感と一致しないものであった。
【０００５】
本発明の目的は、上記の問題に鑑み、体感温度に関する数値を利用者が直接に感じる温度としてシステム的に収集し、体感温度の情報の予測に反映させ、気象情報の精度を向上し、利用者の実感に一致させることを企図した気象情報の体感情報通知システムを提供することにある。
【０００６】
【課題を解決するための手段】
本発明に係る気象情報の体感情報通知システムは、上記の目的を達成するために、以下のように構成される。
【０００７】
本発明に係る気象情報の体感情報通知システム（請求項１に対応）は、気象に係わる機関または施設から配信される予報資料および実況値に基づいて気温、湿度、風の気象情報を予測する気象情報予測処理部と、体感情報を調査・収集するリサーチ部と、利用者の体感度合いを考慮して上記体感情報に含まれる体感温度を補正する体感温度補正部と、利用者が目的とする情報を作成し、通知する情報通知部とから構成される。気象に係わる機関は例えば気象庁であり、施設は各種情報の配信施設である。予報資料としては気象庁から配信される降水短時間予報やガイダンス等であり、実況値は降水量や風や気温等である。
【０００８】
上記の構成において、好ましくは、リサーチ部は、体感情報を継続的に収集して保存すると共に、統計的処理を行って利用者別体感度情報と地域別体感度情報を作成し保存することで特徴づけられる（請求項２に対応）。
【０００９】
上記の構成において、好ましくは、さらに商品別体感傾向解析と需要・購買予測を行う企業情報管理部を備え、この企業情報管理部は、利用者が企業である場合に、商品に係る需要予測と購買予測の情報を提供するように構成される（請求項３に対応）。ここで企業とは、団体等も含み、商品の製造・販売等、商品を取り扱う組織体を意味する。商品に係る需要予測と購買予測の情報は、企業における生産管理、購買管理、在庫管理、販売管理、マーチャンダイジング、サプライチェーンマネジメント、販売促進、商品開発、流通物流管理等において用いられる（請求項４に対応）。
【００１０】
上記の構成において、好ましくは、気象情報予測処理部は、予報資料および実況値に基づいて気象に関する要素を予測する気象予測部と、気象に関する要素を地形特性と地域特性により補正して気温、湿度、風の気象情報を作成する補正部とを含むように構成されている（請求項５に対応）。地形特性とは、平野部や山間部などの気象的に変化が発生する地理条件であり、地域特性とは地域による温度差などである。
【００１１】
【作用】
上記の構成では、例えばインターネット対応の携帯電話に通信手段を経由した気象情報の通知を行う気象情報のサービスシステムにおいて、利用者の体感温度等の体感情報を事前に調査・収集するリサーチ処理を統合し、気象情報の通知で体感温度（身体が直接に感じる気温に対する感覚）の度合いをシステム的に修正することが可能である。またリサーチ部による処理において、当該情報収集は継続的に所定のタイミングで行われ、収集された体感情報に統計的な処理を施して個人利用者別に、および地域別に体感度情報が生成される。利用者が企業等である場合には、当該企業が取り扱う商品別の体感情報に基づく需要予測、購買予測等の情報が提供される。商品に係る需要予測と購買予測の情報は、企業において生産管理、購買管理、在庫管理、販売管理マーチャンダイジング、サプライチェーンマネジメント、販売促進、商品管理、流通物流管理等の商品製造や広くマーケティングの観点上の各種の管理システムに利用される。
【００１２】
【発明の実施の形態】
以下に、本発明の好適な実施形態を添付図面に基づいて説明する。
【００１３】
図１〜図３を参照して気象情報の体感情報通知システムを説明する。図１は本発明に係る気象情報の体感情報通知システムの代表的実施形態の構成を示し、図２はシステム構成を示し、図３は体感情報通知システムにおける手順の流れを示している。
【００１４】
図１〜図３において１０は本発明に係る気象情報の体感情報通知システムである。気象情報の体感情報通知システム１０は、気象予報システム（気象予測と気象情報通知のシステム）を土台にしてその上に構築されている。
【００１５】
気象情報の体感情報通知システム１０は気象予報を行う気象情報予測処理部１１を備えている。気象情報予測処理部１１は気象予測部１２と地域特性補正部１３から構成されている。気象情報予測処理部１１としては、例えば、先に本出願人が出願した特願２００２−５１７０３に開示されたリアルタイムの気象予報を行える気象予報システムなどが利用される。
【００１６】
気象情報予測処理部１１は、気象情報配信部１４から気象予報を行うための基礎となる気象情報が配信される。気象情報配信部１４は、例えば、気象庁または気象に係わる各種情報配信施設である。気象情報配信部１４から配信される気象情報は、代表的に、予測資料（気象庁から配信される降水短時間予報、ガイダンス等）または気象の実況値（降水量、風、気温等）である。気象情報予測処理部１１は、気象情報配信部１４から配信される予測資料または実況値を用いて気象情報を解析し、気象予測を行い、利用者へ提供される気象予報情報（天気予報情報）を作成する。
【００１７】
気象情報予測処理部１１で、気象予測部１２は気温、湿度、風等の気象に関する要素を予測する。また地域特性補正部１３は地形補正処理や地域気温補正処理を行う。地形補正処理は、地形特性、すなわち平野部や山間部などの気象的に変化が発生する地理的条件に基づいて気象に関する要素の予測を補正する処理である。地域気温補正処理は、地域による温度差などに基づいて気象に関する要素の予測を補正する処理である。
【００１８】
気象情報予測処理部１１に対応して気象情報データベース（ＤＢ）１５が設けられる。気象情報データベース１５には、気象の実況値や各種の気象予測情報などが記憶されている。
【００１９】
気象情報の体感情報通知システム１０を利用する利用者（ユーザ）１６は、気象予報サービスの提供を受けるために、体感情報通知システム１０の登録会員となる。利用者１６は、最初に、例えばインターネット端末装置およびインターネット通信網を経由して、体感情報通知システム１０の受付け部１７にアクセスして登録手続きを行う。体感情報通知システム１０の受付け部１７は、多数の利用者１６のそれぞれから、端末装置によって送信されてくる情報を受信する。
【００２０】
上記利用者１６は、本実施形態の場合、個人であっても、法人や任意の機関（団体）等の組織であってもよい。また体感情報通知システム１０を利用できる利用者１６は原則的に登録会員であることが望ましいが、これに限定するものでない。
【００２１】
受付け部１７では登録フォーム１８が記憶部に用意されている。登録フォーム１８は複数のフォームを含んで構成されている。登録フォーム１８に含まれる複数のフォームはユーザに対して適宜のタイミングでかつ所定順序で表示される。利用者１６が端末装置（携帯電話等）を利用して受付け部１７に対してアクセスすると、利用者１６の端末装置に対して必要な登録用フォームが送信され、その表示部に出力・表示される。登録フォーム１８の一例が図６の（Ａ）に示される。登録フォーム１８ａは最初に表示される登録フォームで、出力地点を登録する登録フォームである。登録フォーム１８ａには、出力地点を登録するための指定欄１９、通知方法（出力方法）の指定欄２０、メニュー選択欄２１が設けられている。指定欄１９には直接に出力地点の場所を記入する。指定欄２０における出力方法としてはメール配信とＷｅｂサイト閲覧が用意されている。
【００２２】
登録フォーム１８ａの設定入力が終了すると、登録フォーム１８ｂに移行する。ここでは、Ｍｙお天気設定の内容が表示される。すなわち、登録地点、出力方法が表示される。設定終了の入力欄１８ｂ−１を設定指令を与えると、お天気設定が完了する。
【００２３】
次に体感入力の登録フォーム１８ｃが表示される。体感入力の登録フォーム１８ｃにおける表示欄では、個々の利用者１６の体感に関する情報を入力することができる。体感情報が入力される場所として、先に登録された出力地点の表示１８ｃ−１が行われている。体感情報を入力しようとするときに、場所が登録地点と異なるときには、当該場所を指定するための入力が入力欄１８ｃ−２を介して行われる。さらに下部に各種の体感情報を入力するための複数の項目に関する入力欄１８ｃ−３が設けられている。指定した体感情報を登録設定するためには、登録ボタン１８ｃ−４を操作する。
【００２４】
利用者１６は、上記の登録フォーム１８ａ，１８ｂ，１８ｃの各々の各欄において必要な書込み入力または選択入力を行うことにより、登録に必要な情報を受付け部１７に送信する。受付け部１７では、利用者１６から送り返されてきた情報をリサーチ部（気象情報や気象要素の照合、利用者情報通知要求の監視、利用者別の体感情報の収集処理、地域別の体感度処理等の機能を有する）２２で気象情報データベース１５に格納された情報を照合・監視する。利用者１６に関する登録位置およびその通知方法、利用者の体感度等の情報は利用者情報データベース２３に保存される。以上の登録手続きを完了した状態で、利用者１６は、気象情報の体感情報通知システム１０より気象情報の体感に関する情報提供のサービスを受けることが可能となる。
【００２５】
なお上記利用者情報データベース２３については、さらに詳しくは、図３に示されるごとく別途に地域体感度データベース２３Ａを備える。利用者情報データベース２３は原則的に利用者別のデータベースであり、地域体感度データベース２３Ａは、利用者ごとの情報に対して統計的処理を行って地域別に体感度を算出し、当該地域別体感度を記憶する地域別のデータベースである。図３では、後述の説明の便宜を考慮して、利用者情報データベース２３に対して、別途に地域体感度データベース２３Ａを示している。
【００２６】
登録フォーム１８における上記の具体的な登録フォーム例１８ａ，１８ｂ，１８ｃについて、利用者の端末装置での表示順序は図６に示された通りである。体感情報通知システム１０による利用者１６の体感情報の収集は登録フォーム１８ｃによって行われる。
【００２７】
上記受付け部１７は、図３に示すように、ウェブ（Ｗｅｂ）サーバ２４の中に設けられている。さらに図３において、体感情報通知システム１０では、上記の気象情報予測処理部１１が気象解析情報作成部２５として示されている。
【００２８】
気象情報予測処理部１１は、予め設定された多数の場所（地域）のそれぞれについてリアルタイムの気象予報を行うシステムである。気象情報予測処理部１１で作られた気象情報に基づいて、各利用者が要求する天気情報に応じて、各利用者に対して必要な天気情報が提供される。天気情報は利用者１６の情報受信装置２６に送信される。情報受信装置２６は前述した利用者の端末装置の受信機能を有する部分を意味している。
【００２９】
気象情報の体感情報通知システム１０は、代表的にはインターネット通信網を介して多数の利用者１６のそれぞれの端末装置と接続されている。一般的に当該システム１０と利用者１６と接続する手段２７は、図３に示すごとく、インターネット通信網の他に、例えば電話回線を利用した回線、携帯電話回線、データ放送、ケーブルテレビジョン通信、双方向で情報送受信可能なテレビジョン通信、イントラネット、パソコン通信、衛星通信などが利用される。このような接続手段２７は、前述した会員登録の手続きやその時またはその後の体感情報の収集等における通信２８および気象情報の送信２９の際に利用される。
【００３０】
ここでリアルタイムで気象予報を行える気象予報システムについて概説する。気象予報システムは、設定された各場所の気象情報の予測および作成を行うシステムである。気象予報システムは、気象予測および気象情報通知を行う気象情報予測通知システムを備えている。この気象情報予測通知システムは前述した気象情報予測処理部１１と後述する情報通知部（３２）を含むシステムである。気象予報システムは、気象庁および気象に係わる機関または施設と通信網を経由して接続されている。気象予報システムは、気象庁および気象に係わる機関または施設からの予報資料と観測所等からの実況値のデータを受信する。
【００３１】
気象情報予測通知システムは、外部から与えられた予報資料データと実況値データを用いて、かつ独自の気象予測モデルに基づいて気象情報の予測を行い、気象情報を作成する。予報資料データと実況値データのうち両方またはいずれか一方が受信不能のときには、欠落した受信不能データに対応するデータを予測処理で作成し、当該データを用いて、かつ上記気象予測モデルに基づいて気象情報の予測を行う。さらに予報資料データと実況値データとは関係なく、代用のデータを用いて気象情報の予測を行う。これにより気象情報予測通知システムでは、リアルタイムの気象情報を作成することが可能となる。
【００３２】
次に、気象予報システムで用いられる予報資料と実況値の内容について説明する。予報資料は気象予報を行うための資料データである。気象庁から提供される予報資料は、測定された気象に関する各種要素の観測数値に基づいて行う数値予報の結果求められた気象要素や物理量（渦度、鉛直速度など）の予測値をいう。この予測値は、各地点における各気象要素の数値情報に基づいて、その地点における各気象要素の推移を予想した情報である。当該予測値は、例えば、気象レーダー観測データを解析して得た値から予測する解析雨量・降水短時間予報・ガイダンス等である。実況値は、各観測地点において観測された各気象要素の観測データ、および、観測結果を解析した解析データである。実況値は、気象庁または気象に関する情報を作成する機関、法人、並びに個人等の外部から提供される。例えば気象庁から提供される実況値は、降水量、風速、気温、日照、気象衛星による観測値等の気象の現況を表す気象要素の数値あるいは気象要素から導き出される物理量である。実況値は、主に、日本各地に約２０Ｋｍ間隔で設置された観測施設における観測時刻の観測値として気象庁の観測所から提供される。実況値は、予報資料と対をなして使用される。
【００３３】
次に、体感情報通知システム１０における体感情報通知に関与する構成部分を説明する。体感情報通知に関しては、図１に示すごとく、体感温度補正部３１と情報通知部３２と、前述のリサーチ部２２とが設けられている。図２に示すように、体感温度補正部３１は、利用者ごとの体感温度を体感度数として補正する処理、および地域別ごとの体感温度情報を体感度数として補正する処理を行う。
【００３４】
リサーチ部２２は、一般的に、利用者の情報通知の要求を監視し、利用者の体感情報を収集する処理を行う。利用者１６の体感情報の収集は、前述の体感入力のための登録フォーム１８ｃを用いて行われる。通常、利用者１６が体感情報通知システム１０に対してサービス提供のアクセスを行う時、登録フォーム１８ｃを利用して継続的に体感情報の収集が行われる。利用者１６の体感に関する情報の収集は、利用者ごとでもよいし、グループごとであってもよい。このような体感に関する情報は、前述した登録フォーマット１８ｃの体感度選択欄１８ｃ−３における選択入力の情報に基づいて得られる。図３に示されたリサーチ部２２における利用者の体感の収集処理では、情報収集画面の処理、および情報解析処理が行われる。
【００３５】
さらにリサーチ部２２による体感情報の収集のついては、詳しくは、個人利用者または任意の機関（企業、団体）の利用者からのアンケート型情報収集を実施することにより、あるいはモニタリング等によるマーケティングリサーチを定期的にかつ継続的に実施することにより、行われる。リサーチ部２２は、さらに、これらの情報収集で得られたデータに対して統計的処理を施して、利用者別あるいは地域別の体感度数を求め、各データベースに記憶する。これにより、利用者別体感度数、地域別体感度数の精度の向上を図り、利用者１６に対して多種態様な形式による情報提供を可能にする。
【００３６】
リサーチ部２２による体感情報収集が継続される仕組みは、代表的に、前述したごとく例えば利用者１６がその端末装置でＷｅｂサーバ２４に接続し、情報を受信する時に、利用者が任意に指定した体感情報を表示する共に、同一ページ内で現在の体感（直接の感覚）の度合いの選択入力欄が示され、任意に利用者が登録を行うことになる。当該選択入力欄は、前述した登録フォーム１８ｃに示された選択入力欄１８ｃ−３である。上記の場合でリサーチ部２２で利用者地域（体感度入力比較地域）を管理することにより、前述のごとき地域別特性、あるいは移動拠点を含む利用者拠点における体感度の情報の収集が可能となる。
【００３７】
また情報通知部３２は一般的に通知情報作成および情報通知の処理を行う。情報通知部３２で作成された気象情報は例えば文字情報通知という形態で利用者情報受信装置２６へ送信される。
【００３８】
実際上、情報通知部３２による情報通知は個人利用者または任意の機関（企業、団体）が希望する情報・通知の形態にて作成され、利用者に対してあらゆる通信・放送手段を利用して通知が行われる。例えば、情報提供先が個人である場合には、リサーチ部２２のリサーチ処理により利用者情報データベース２３に記憶された利用者本人の体感度情報にて補正を行い、当該個人の生活に密着した個別体感度情報として作成され、通知が行われる。さらに情報提供先が企業等である場合には、リサーチ部２２のリサーチ処理にて地域体感度データベース２３Ａに記憶された地域別統計体感度情報にて補正を行い、需要予測、購買予測などの指標の一部として作成され、通知される。
【００３９】
なお上記の気象情報予測処理部１１と体感温度補正部３１等から成る構成部分は、図３では気象解析情報作成部２５として示されている。
【００４０】
次に、図４と図５を参照して、リサーチ部２２によるリサーチ態様のタイプ、および通知態様のタイプについて説明する。
【００４１】
図４は総合マーケティングリサーチ型の構成およびその手順フローを示す。図４において、図１〜図３で説明した要素と実質的に同一の要素には同一の符号を付している。
【００４２】
図４で、リサーチ部２２は気象情報照合部２２ａと利用者別体感度処理部２２ｂと地域別体感度処理部２２ｃを有している。気象情報照合部２２ａは収集された気象情報の照合を行い、利用者別体感度処理部２２ｂは利用者別の体感度処理を行い、地域別体感度処理部２２ｃは地域別の体感度処理を行う。リサーチ部２２はリサーチ対象４１から情報収集（手順Ｐ１１）を行う。ここで、リサーチ対象４１には、その目的に応じて、リサーチ形態としてはマーケティング４１ａ、モニタリング４１ｂ、個別体感度収集４１ｃ、地域別体感度収集４１ｄが含まれている。情報収集Ｐ１１では、リサーチ対象４１からリサーチ部２２へ直接的にあるいはＷｅｂサーバ２４を経由して行われる。こうしてリサーチ部２２に収集された情報は、ここで情報統計処理がなされかつ各データベース１５，２３，２３Ａに記憶される（手順Ｐ１２）。気象解析情報作成部２５は、上記の気象予測部１２および地域特性補正部１３、さらに利用者別体感度補正部３１Ａおよび地域別体感度補正部３１Ｂを有している。この気象解析情報作成部２５において、気象情報配信部１４から提供される気象情報、および各データベース１５，２３，２３Ａから提供される各種の情報に基づいて通知情報が作成される（手順Ｐ１３）。気象解析情報作成部２５で作成された通知情報は、個人１６Ａまたは企業・団体１６Ｂに対してＷｅｂサーバ２４を経由してまたは直接に提供される（手順Ｐ１４）。
【００４３】
図５は企業向けマーケティングリサーチ型の構成およびその手順フローを示す。図５において、図１〜図４で説明した要素と実質的に同一の要素には同一の符号を付している。
【００４４】
図５で、リサーチ部２２は前述の通り気象情報照合部２２ａと利用者別体感度処理部２２ｂと地域別体感度処理部２２ｃを有している。リサーチ部２２はリサーチ対象４１から体感についての情報収集（手順Ｐ１１）を行う。リサーチ対象４１には、リサーチ形態としてマーケティング４１ａ、モニタリング４１ｂ、個別体感度収集４１ｃ、地域別体感度収集４１ｄが含まれる。リサーチ部２２に収集された情報は、情報統計処理がなされ、かつ各データベース１５，２３，２３Ａに記憶される（手順Ｐ１２）。気象解析情報作成部２５は、気象予測部１２、地域特性補正部１３、利用者別体感度補正部３１Ａ、地域別体感度補正部３１Ｂを含む。気象解析情報作成部２５において、気象情報配信部１４から提供される気象情報、および各データベース１５，２３，２３Ａから提供される各種の情報に基づいて通知情報が作成される（手順Ｐ１３）。気象解析情報作成部２５からの通常の情報通知は、図４で説明した通り、行われる。
【００４５】
さらに上記気象解析情報作成部２５に対して企業情報管理部５１が別途に設けられる。企業情報管理部５１は、上記情報通知部３２において企業向け情報通知処理として設けられる。企業情報管理部５１は、機能部として、販促サポート部５１ａ、商品別体感度傾向解析部５１ｂ、需要・購買予測部５１ｃを有し、さらに企業情報データベース５２を備えている。商品別体感度傾向解析部５１ｂは、統計的な処理に基づき地域別体感度傾向を演算する。企業情報管理部５１では、企業・団体１６Ｂから販売データを入手し（手順Ｐ２１）、企業情報データベース５１に記憶する。企業情報管理部５１では、気象解析情報作成部２５から統計的に求められた地域別体感度傾向に関する情報を入手し、その情報に基づき、商品別体感傾向解析部５１ｂで各企業の商品別に体感度傾向を解析し、さらに需要・購買予側部５１ｃで需要予測・購買予測情報を作成する。作成された需要予測・購買予測情報は、企業情報データベース５２に記憶され、さらに商品別に対応する企業・団体１６Ｂに提供される（手順Ｐ２２）。また販促サポート部５１ａは、個人１６Ａに対して個人的体感度傾向または地域別体感度傾向に基づいて販促サポートの情報を提供する（手順Ｐ２３）。以上の商品に係る需要予測および購買予測の情報は、提供を受けた企業・団体１６Ｂにおいて、指標の一部として利用され、生産管理、購買管理、在庫管理、販売管理、販促計画、マーチャンダイジング、サプライチェーンマネジメント、販売促進、商品開発、流通物流管理等のマーケティングに関連する各工程に実効性のある情報として用いられる。
【００４６】
次に、以上の構成を有する気象情報の体感情報通知システム１０における各部の基本的な処理動作を全体的な観点から概説する。
【００４７】
気象情報予測処理部１１における気象予測部１２では、気象情報配信部１４から配信される予測資料と実況値に基づいて利用者が指定する地点（または地域）に気象的予測（気象に関する要素の予測）を行う。この気象的予測は、例えば５４時間先まで行われる。気象予測部１２で行われる気象予測はリアルタイムで行われることが望ましい。
【００４８】
気象情報配信部１４から配信される予測資料や実況値等の気象情報は気象情報データベース１５に格納される。気象予測部１２でリアルタイムの気象予測を行うためには、例えば気象情報データベース１５に格納された過去の予測資料や実況値等が用いられる。さらに気象予測部１２で作られた気象的予測に係る情報も気象情報データベース１５に記憶される。
【００４９】
地域特性補正部１３は、気象予測部１２で予測された気象予測を、予測地点の地理的条件（地形状況や気象的地理特性等）、および地域による平均気温や平年気温格差にて補正を行い、さらに基礎体感温度の予測を行う。以上により、気象情報予測処理部１１において、地域的な特性を補正により加味し、気象要素の予測、および基礎体感温度の予測が行われる。
【００５０】
次にリサーチ部２２では、前述のごとく、例えば、利用者１６が情報通知を希望する時点にて、利用者の過去数日間の体感（直接の感覚）を情報収集画面にて入力し、通知を行い、これを該当地点および該当期日の気象要素等と照合し、体感度数として利用者別あるいは地域統計別に算出し、利用者情報データベース２３に記憶しておく。なお体感度情報は、前述のごとく各種の態様で継続的にかつ定期的に収集され、統計的な処理が行われ、利用者別、あるいは地域別に体感度情報を求め、記憶される。
【００５１】
体感温度補正部３１では、気象情報予測処理部１１の地域特性補正部１３で予測された基礎体感温度予測を、リサーチ部２２に基づき利用者情報データベース２３に記憶された体感度に従って、利用者別、あるいは利用形態に伴う補正が行われる。
【００５２】
最終的に作成された気象的予測に係る情報は情報通知部３２に与えられる。情報通知部３２は、利用者が希望する情報・通知形態を作成し、利用者情報受信装置２６に送る。
【００５３】
利用者情報受信装置２６へ送られる気象情報に係る文字情報はその表示部に表示される。表示部の画面に表示される出力例を図６の（Ｂ）あるいは図７に示す。これらの出力例で明らかなように、気象予報として多種多様な形態で文字情報を通知することが可能である。
【００５４】
【発明の効果】
以上の説明で明らかなように本発明によれば、次の効果を奏する。
【００５５】
気象予報システムにおいて、事前に体感温度に関する数値を利用者が直接に感じる温度としてシステム的に収集しておき、気象情報予測処理部で作成された気象予報の情報に対して利用者ごとの体感温度情報を反映させ、利用者の実感に一致させ、利用者の要求に応じて多種多様な気象情報の通知、精度の高い気象情報の通知を行うことができる。
【００５６】
体感温度情報を継続的に調査・収集することによって統計的な処理を行い、利用者別および地域別の体感温度情報を生成し、記憶することができる。
【００５７】
情報提供が行われる利用者が企業等のごとき商品を製造・販売する商品取扱い者である場合に、利用者別あるいは地域別の体感温度情報を利用して商品ごとの需要予測や購買予測を行って、これらの商品に係る有用情報を企業等に提供することができる。
【図面の簡単な説明】
【図１】本発明に係る気象情報の体感情報通知システムの代表的実施形態を示す構成図である。
【図２】気象情報の体感情報通知システムのシステム構成図である。
【図３】気象情報の体感情報通知システムにおける手順の流れを示す図である。
【図４】総合マーケティングリサーチ型の気象情報の体感情報通知システムの構成と手順の流れを示す図である。
【図５】企業向けマーケティングリサーチ型の気象情報の体感情報通知システムの構成と手順の流れを示す図である。
【図６】利用者の端末装置の表示部に表示される登録フォーム例および出力例を示す図である。
【図７】利用者の端末装置の表示部に表示される体感情報表示に関する出力例を示す図である。
【符号の説明】
１０　　　　　　　気象情報の体感情報通知システム
１１　　　　　　　気象情報予測処理部
１２　　　　　　　気象予測部
１３　　　　　　　地域特性補正部
１４　　　　　　　気象情報配信部
１６　　　　　　　利用者
１７　　　　　　　受付け部
２２　　　　　　　リサーチ部
３１　　　　　　　体感温度補正部
３２　　　　　　　情報通知部
【図１】
2004053520.tif 000003
【図２】
2004053520.tif 000004
【図３】
2004053520.tif 000005
【図４】
2004053520.tif 000006
【図５】
2004053520.tif 000007
【図６】
2004053520.tif 000008
【図７】
2004053520.tif 000009